(57)【要約】【課題】  クラッパーが引っ張られても簡単には伸びず一定長を維持する弾性部材を備えたハンドベルを提供する。それによって粗略な扱いを受けても使用不能とならないようにする。【解決手段】  弾性部材の一端に、ベルを叩打するクラッパーを取り付け、弾性部材の他端はベル内部に取り付けた構成を有するハンドベルにおいて、弾性部材１３の一端を取り付けたクラッパー１４と、弾性部材１３の他端を取り付けたベル内部とを連絡する支持部材１６を設け、支持部材１６を可撓性かつ非伸縮性とすることにより、弾性部材１３の伸びを抑制するものとする。【選択図】          図１
2005309088.tif 000002
【特許請求の範囲】
【請求項１】
弾性部材の一端にベルを叩打するクラッパーを取り付け、弾性部材の他端はベル内部に取り付けた構成を有するハンドベルにおいて、
弾性部材の一端を取り付けたクラッパーと、弾性部材の他端を取り付けたベル内部とを連絡する支持部材を設け、支持部材を可撓性かつ非伸縮性とすることにより、弾性部材の伸びを抑制するようにしたことを特徴とするハンドベル。
【請求項２】
弾性部材がコイルばね構造を有するものであり、支持部材はコイルばね構造の内部の中心部に配置されている請求項１記載のハンドベル。
【請求項３】
支持部材は、弾性部材の一端を取り付けたクラッパーと弾性部材の他端を取り付けたベル内部の間の距離の最大値を規定し、それによってクラッパーがベルの一定の範囲の打面を叩くように構成されている請求項１記載のハンドベル。
【発明の詳細な説明】
【技術分野】
【０００１】
本発明は、弾性部材の一端にベルを叩打するクラッパーを取り付け、弾性部材の他端はベル内部に取り付けた構成を有するハンドベルに関するものである。
【背景技術】
【０００２】
コイルばね構造を有する弾性部材を用いて、ベル内部にクラッパーを取り付けたものは従来から知られており、そのコイルばねは、図３Ａに示すように密着巻きされ、一定長ｌを有する。このようなベルでは、クラッパーｃが一定長ｌのコイルばねａで支えられて、ベルの打面ｂを叩打し、調製された振動数の音を発するように設計されている。しかし、誤って、或いはいたずらでわざとクラッパーｃを引っ張り、コイルばねａを伸ばしてしまうことがあり、そのような場合にはコイルばねａの自然長に伸びｅが加わり、クラッパーｃの振り子半径がｌ＋ｅに変化する。従って伸びたコイルばねのハンドベルではクラッパーの位置が変化してしまい、打面がｂ´の位置も変わるため所期の発音が得られず、使用不可という事態になる。図３Ｂ参照。
【０００３】
【特許文献１】特開２００３−２８０６６５号
【特許文献２】特開平５−２５７４７９号
【特許文献３】実用新案登録第３０９６５９１号
【発明の開示】
【発明が解決しようとする課題】
【０００４】
この発明は、前述の実情に着目してなされたもので、その課題は、クラッパーを引っ張っても一定長を維持する弾性部材を備えたハンドベルを提供することである。また本発明の他の課題は、或る程度は粗略な扱いを受けても簡単には使用不能とならないハンドベルを提供することである。
【課題を解決するための手段】
【０００５】
前記の課題を解決するためこの発明は、弾性部材の一端にベルを叩打するクラッパーを取り付け、弾性部材の他端はベル内部に取り付けた構成を有するハンドベルにおいて、弾性部材の一端を取り付けたクラッパーと、弾性部材の他端を取り付けたベル内部とを連絡する支持部材を設け、支持部材を可撓性かつ非伸縮性とすることにより、弾性部材の伸びを抑制するという手段を講じたものである。
【０００６】
この発明のハンドベルはその名のとおり、手で振って音を出す楽器であり、手で持つためのハンドルがベル本体に備わっている。ベル内部のクラッパーは弾性部材によって支えられ、ハンドベルを振ると弾性部材が揺れ動いてクラッパーが打面を叩き、音を発するものである。弾性部材は、コイルばね構造を有することが望ましい。しかしコイルの形態は制限せず、密着巻きコイルであってもなくても良いし、ばね定数も任意に選択することができる。従来はクラッパーの重量を支えて伸びないばね強さが必要であり、比較的ばね定数の大きいものを使用することになるというものであったが、本発明の場合、後述の支持部材により、ばね定数が小さくてもばねの長さが変化しないため、弱いばねも使用可能である。つまり、ばね定数の選択の自由度が高く、その結果軽く振って音の出るタイプから強く振らなければ音の出にくいタイプまで、変化に富んだハンドベルを提供することができるという利点を有する。
【０００７】
支持部材は、クラッパーとベル内部とを連絡する。この発明の支持部材は可撓性を有しかつ非伸縮性を併せて有するものでなければならない。クラッパーとベル内部を連絡し、可撓性と非伸縮性を有することによって、支持部材は弾性部材が伸びるのを防止することができる。なお、請求項１等において、弾性部材の伸びを抑制とあるのは一定長Ｌよりも伸びることがないという趣旨である。図２に示されるように、ハンドベルが振られてクラッパーがベルの打面を叩くとき支持部材の振り子の長さはＬを維持するか、或いは密着巻きでない場合Ｌよりもやや小さい値を取り得るが、僅かな差でありクラッパーはほぼ一定範囲の打面に当たることになる。
【０００８】
支持部材を取り付ける方法は任意に選択し得る事項である。しかし、例えばコイルばね構造を有する弾性部材の両端近くのリング部分に、糸又は紐状の支持部材を結び付け或いは接着して一体化しておく方法を取ると、取り扱いは最も簡単になる。また、クラッパーやハンドルの成形樹脂の内部に一体にインサート成形するのも良い。その際、糸又は紐状の支持部材の両端に、輪又は糸玉のような抜け止めを作っておくことにより、樹脂中に繋止されることとなるので、強固な取り付けを実現することができる。また支持部材は、コイルばね構造の内部の中心部に配置されていることが望まれる。ハンドベルを振ったときにクラッパーの揺れる方向に偏りが起こらないからである。
【０００９】
支持部材の構成上重要なことは、弾性部材の一端を取り付けたクラッパーと弾性部材の他端を取り付けたベル内部の間の距離の最大値を規定することになる点である。このことによって、クラッパーはベルの一定範囲の打面を叩くようになる。ベルの一定範囲の打面とは特定の１箇所という意味ではなく、クラッパーが叩くように予め設計されている、ベル内側のリング状の範囲のことである。このようなハンドベルは、既に一部触れたようにベル本体を金属製、クラッパーとハンドベルを樹脂製、弾性部材をばね鋼製、支持部材を紐ないし単線状のものとして形成することができる。またその音程を個々に変えて例えば１オクターブ分のセットとして揃えるようなことも容易に実施することができる。
【発明の効果】
【００１０】
この発明は上記のような構成を有しかつ作用するものであるから、幼児などがクラッパーを引っ張っても、支持部材がその引っ張り力に対抗するので、弾性部材の一定長を維持することができ、従って或る程度は粗略な扱いを受けても所期の性能を保持し、簡単には使用不能とならないハンドベルを提供することができ、しかも最小限度の部品点数をもって比較的容易に実施することができるという効果を奏する。
【発明を実施するための最良の形態】
【００１１】
以下図示の実施形態を参照してこの発明をより詳細に説明する。図１はこの発明の１例をであるハンドベルの縦断面図であり、例示のハンドベル１０は、ベル本体１１とハンドル１２及び、ベル内部に弾性部材１３により取り付けられたクラッパー１４を有してい
る。ベル本体１１は、いわゆるベル型の形状を有し、その内側には内方へ向かって突状に彎曲した打面１５が全周に亘って設けられており、クラッパー１４はこの部分を叩いて音を発生する。
【００１２】
ハンドベル１０のハンドル１２は樹脂成形品より成り、ベル本体１１の頂部に取り付けられ一体化している。弾性部材１３の端部は、そのハンドル１２の取り付け部側端部に、樹脂内にインサートされた状態で取り付けられており、弾性部材１３の他の一端はクラッパー１４に、やはり埋設された状態で取り付けられている。例示のクラッパー１４は樹脂成形品より成り、また弾性部材１３は鋼製のコイルばね構造を有するものを使用してい
る。
【００１３】
この発明では次に説明するように、クラッパー１４は弾性部材１３によってベル内部に取り付けられているだけではなく、支持部材１６によってもベル内部に繋ぎ止められている。支持部材１６は丈夫な糸又は単線状のものから成り、ハンドベル側の端部及びクラッパー１４側の端部に夫々抜け止め１７、１８を取り付け、可撓性と非伸縮性を保つように設けられている。支持部材１６は、一定長Ｌの振り子半径を実現するもので（図２Ａ）、弾性部材１３の一端を取り付けたクラッパー１４と、弾性部材１３の他端を取り付けたベル内部の間の距離の最大値を規定する。
【００１４】
このような構成を有するこの発明のハンドベル１０では、ハンドルを握って振ると、クラッパー１４が重りとなって弾性部材１３に弾性曲げを起こし、打面１５を叩くことになる（図２Ｂ）。この操作により弾性部材１３は変形を起こしかつ伸縮しようとするが、支持部材１６を設けてあるためクラッパー１４が揺れて弾性部材１３が曲げ変形を起しても振り子半径はほぼ一定長Ｌを保持し、クラッパー１４は常に打面１５を叩くようになる。この作用は、ハンドベル１０をどのように振っても得ることができ、クラッパー１４がベル本体１１の凸状の打面１５を正しく叩くことが保証される。
【００１５】
なお、支持部材１６の長さＬは一定である必要があるが、コイルばねの中に糸状のものを端から端まで通していたのでは、ずれや曲がりが出やすいので、正しい長さＬを常に出すことは難しい。そこで、コイルばねの端よりも少し内方に入った位置から支持部材１６を取り出すとコイルばねにより挟まれるのでずれ動きにくくなり、生産上好都合である。
【図面の簡単な説明】
【００１６】
【図１】この発明の１例を示す縦断面図。
【図２】Ａは図１の要部を拡大した断面図。Ｂはクラッパーが揺れて打面に当たっている状態を示す断面図。
【図３】Ａは従来のコイルばねにより取り付けられたクラッパーの断面図。Ｂは伸びたクラッパーが揺れて当たっている状態を示す断面図。
【符号の説明】
【００１７】
１０  ハンドベル
１１  ベル本体
１２  ハンドル
１３  弾性部材
１４  クラッパー
１５  打面
１６  支持部材
Ｌ  一定長
【図１】
2005309088.tif 000003
【図２】
2005309088.tif 000004
【図３】
2005309088.tif 000005